(57)【要約】【課題】洗面空間などに好適に配置され得る収納装置を提供する。【解決手段】収納装置１は、第１収納空間２１を有する第１収納部２と、第１収納部２と水平方向に隣接して配置されかつ第２収納空間３１を有する第２収納部３とを含み、第１収納部２は、水平な第１作業台２６を有し、第２収納部３は、第２収納空間３１の少なくとも一部を閉じる扉３２を有し、扉３２は、第２収納空間３１を開放する位置に開かれることにより、第１作業台２６と面一に連なる第２作業台３２となることを特徴とする。【選択図】図５
2014147443.tif 000002
【特許請求の範囲】
【請求項１】
第１収納空間を有する第１収納部と、前記第１収納部と水平方向に隣接して配置されかつ第２収納空間を有する第２収納部とを含み、
前記第１収納部は、水平な第１作業台を有し、
前記第２収納部は、第２収納空間の少なくとも一部を閉じる扉を有し、
前記扉は、前記第２収納空間を開放する位置に開かれることにより、前記第１作業台と面一に連なる第２作業台となることを特徴とする収納装置。
【請求項２】
前記第１収納空間は、前記第１作業台の下方に設けられた下側第１収納空間を含む請求項１記載の収納装置。
【請求項３】
前記第１収納空間は、前記第１作業台から上方に距離を隔てた位置に設けられた上側第１収納空間を含む請求項１又は２に記載の収納装置。
【請求項４】
前記扉は、水平軸回りに揺動可能に設けられ、
前記第２収納空間は、前記扉の前記水平軸よりも上部の上側第２収納空間と、前記水平軸よりも下部の下側第２収納空間とを含み、
前記下側第２収納空間は、垂直軸回りに開閉する下側扉で開閉され、
前記扉は、前記開放する位置に開かれたときに、開かれた前記下側扉の上縁部で支持される請求項１乃至３のいずれかに記載の収納装置。
【請求項５】
前記扉は、その厚さ方向に空気が通過可能な材料で形成されている請求項１乃至４のいずれかに記載の収納装置。
【請求項６】
洗濯パンを有した洗面空間と、請求項１乃至５のいずれかの収納装置を、前記第１作業台を前記洗面空間に面して配置したことを特徴とする洗面空間の構造。
【発明の詳細な説明】
【技術分野】
【０００１】
本発明は、例えば、洗面空間などに好適に配置され得る収納装置及びこれを用いた洗面空間の構造に関する。
【背景技術】
【０００２】
一般的に、洗濯作業の大部分は、洗面空間で行われると効率が良い。しかしながら、洗面空間は、十分なスペースを有していない場合が多く、洗濯作業がし辛いという問題があった。
【０００３】
また、近年では、衣類への花粉の不着等を防ぐために、洗面空間に設けられた室内干し装置などを利用して室内干しが多用される傾向がある。このような場合、洗濯物の取り込み、畳み、アイロンがけ、収納といった一連の作業が一つの場所で行えれば大変便利である。
【先行技術文献】
【特許文献】
【０００４】
【特許文献１】特開２００８−１６７９９８号公報
【特許文献２】特開２０１０−１３１３１８号公報
【発明の概要】
【発明が解決しようとする課題】
【０００５】
本発明は、以上のような問題点に鑑み案出なされたもので、洗面空間に好適に配置され、特に洗濯作業の効率化に役立つ収納装置及びこれを用いた洗面空間の構造を提供することを目的としている。
【課題を解決するための手段】
【０００６】
本発明のうち請求項１記載の発明は、第１収納空間を有する第１収納部と、前記第１収納部と水平方向に隣接して配置されかつ第２収納空間を有する第２収納部とを含み、前記第１収納部は、水平な第１作業台を有し、前記第２収納部は、第２収納空間の少なくとも一部を閉じる扉を有し、前記扉は、前記第２収納空間を開放する位置に開かれることにより、前記第１作業台と面一に連なる第２作業台となることを特徴とする収納装置である。
【０００７】
また請求項２記載の発明は、前記第１収納空間は、前記第１作業台の下方に設けられた下側第１収納空間を含む請求項１記載の収納装置である。
【０００８】
また請求項３記載の発明は、前記第１収納空間は、前記第１作業台から上方に距離を隔てた位置に設けられた上側第１収納空間を含む請求項１又は２に記載の収納装置である。
【０００９】
また請求項４記載の発明は、前記扉は、水平軸回りに揺動可能に設けられ、前記第２収納空間は、前記扉の前記水平軸よりも上部の上側第２収納空間と、前記水平軸よりも下部の下側第２収納空間とを含み、前記下側第２収納空間は、垂直軸回りに開閉する下側扉で開閉され、前記扉は、前記開放する位置に開かれたときに、開かれた前記下側扉の上縁部で支持される請求項１乃至３のいずれかに記載の収納装置である。
【００１０】
また請求項５記載の発明は、前記扉は、その厚さ方向に空気が通過可能な材料で形成されている請求項１乃至４のいずれかに記載の収納装置である。
【００１１】
また請求項６記載の発明は、洗濯パンを有した洗面空間と、請求項１乃至５のいずれかの収納装置を、前記第１作業台を前記洗面空間に面して配置したことを特徴とする洗面空間の構造である。
【発明の効果】
【００１２】
本発明の収納装置は、第１収納空間を有する第１収納部と、前記第１収納部と水平方向に隣接して配置されかつ第２収納空間を有する第２収納部とを含む。前記第１収納部は、水平な第１作業台を有する。このため、例えば、第１作業台で洗濯物を畳む作業ができる。また、畳まれた洗濯物を第１収納部に収納する収納作業が可能になる。
【００１３】
さらに、第２収納部は、第２収納空間の少なくとも一部を閉じる扉を有し、前記扉は、前記第２収納空間を開放する位置に開かれることにより、前記第１作業台と面一に連なる第２作業台となることを特徴としている。従って、本発明の収納装置は、第１作業台と第２作業台とが連続した広い作業台を提供することができ、洗濯物を畳む作業をさらに能率化できる。また、作業台の一方でアイロンがけ、他方でアイロンがけされた衣類の仮置きなどが可能になる。また、前記扉を閉じた状態では、洗面空間の作業スペースを拡大することができ、洗面空間を有効に活用することができる。
【００１４】
以上のように、本発明の収納装置は、洗面空間に好適に配置され、そこでの洗濯作業を効率化することができる。
【図面の簡単な説明】
【００１５】
【図１】本発明の実施形態の収納装置の全体斜視図である。
【図２】図１の正面図である。
【図３】図１の側面である。
【図４】本実施形態の収納装置が配置された洗面空間の平面図である。
【図５】図１の収納装置の扉を解放させた状態の全体斜視図である。
【図６】図５の正面図である。
【図７】図５の側面である。
【図８】図５の状態の収納装置が配置された洗面空間の平面図である。
【発明を実施するための形態】
【００１６】
以下、本発明の好適な実施の一形態が図面に基づき説明される。
図１は、本実施形態の収納装置１の全体斜視図、図２はその正面図、図３はその側面図がそれぞれ示されている。本実施形態の収納装置１は、図４に示されるように、洗面空間Ｗに設けられている。これにより、収納装置１は、洗面空間Ｗの構造の一部を構成している。
【００１７】
本実施形態の洗面空間Ｗは、浴室ａと、収納装置１との間に形成されており、洗面台ｂ、洗濯パンｃ、室内干し空間ｄ及び室内干し装置ｅを含んでいる。洗面空間Ｗは、平面視において矩形状の空間とされている。洗面空間Ｗは、開閉扉により、浴室ａと仕切られている。室内干し装置ｅは、例えば、室内干し空間ｄの天井面に昇降自在に設けられた物干し棒から構成される。
【００１８】
収納装置１は、第１収納部２と、第２収納部３とが水平方向に隣接して配置されている。本実施形態では、第１収納部２が洗濯パンｃに、第２収納部３が、室内干し装置ｅが設けられた室内干し空間ｄにそれぞれ面して配置されている。
【００１９】
図１〜図３に示されるように、第１収納部２は、例えば、縦長状の収納棚であり、第１収納空間２１を有する。第１収納空間２１は、例えば、上側第１収納空間２２と、この上側第１収納空間２２から下方に隔てられた位置にある下側第１収納空間２３とを含んでいる。各収納空間２２、２３は、物品を収納することができる十分な容積を持っている。
【００２０】
上側第１収納空間２２は、例えば、両開きの開閉扉２４によって開閉自在とされた空間である。開閉扉２４は、図４に示した洗面空間Ｗ側を向く面に設けられている。下側第１収納空間２３は、例えば、開閉扉２５によって開閉自在とされた空間である。開閉扉２５は、第２収納部３側の側面に設けられている。各扉２４、２５が設けられる位置や扉の構成等については、これらの具体的な態様に限定されるものではなく、種々の変更が可能である。例えば、扉に代えて、引き出し等が採用されても良い。
【００２１】
下側第１収納空間２３は、例えば、直方体状であり、上部が天板で覆われている。第１収納部２は、この天板の上面によって、水平な面を有する第１作業台２６が形成される。第１作業台２６の水平な面は、例えば、腰高さ程度に設定されている。第１作業台２６と上側第１収納空間２３との間には、十分な空間Ｓが設けられている。従って、第１作業台２６上での作業が妨げられることはない。
【００２２】
このように、本実施形態の収納装置１は、第１収納部２の第１作業台２６の上で、例えば、洗濯物を畳む等の各種の作業が可能になる。また、第１作業台２６は、第１収納空間２１（上側及び下側第１収納空間２２又は２３）から、各種の物品を一時的に置く台として利用可能である。さらに、第１作業台２６は、第１収納空間２１（上側及び下側第１収納空間２２又は２３）に収容するための物品の仮置き台として利用され得る。
【００２３】
図４に示されるように、本実施形態では、第１収納部２が洗濯パンｃ（即ち、洗濯機）に面して配置される。従って、洗濯を終えた衣類等は、すぐさま第１作業台２６に一時的に仮置きされ、第１作業台２６から、室内干し装置ｅへと洗濯物を干すことができる。また、室内干し装置ｅで乾燥させた洗濯物は、第１作業台２６に仮置きされ、さらにはそこで畳まれることが可能になる。このような洗面空間Ｗは、洗濯から物干し、取り込み、畳み及び収納といった洗濯作業の一連の工程について、スムーズな作業動線が得られる。従って、本実施形態の収納装置１は、使用者に、高い利便性を提供する。
【００２４】
図１〜図３に示されるように、第２収納部３も、例えば、縦長状の収納棚として形成される。本実施形態において、第２収納部３は、第１収納部２の高さ及び幅と等しく形成されている。一方、図３及び図４に示されるように、第２収納部３は、第１収納部２よりも小さい厚さで構成されている。図４に示されるように、第１収納部２及び第２収納部３の背面が揃えて配置されることにより、第２収納部３は、洗面空間Ｗに、広い室内干し空間ｄを提供することができる。
【００２５】
図１〜３に示されるように、第２収納部３は、第２収納空間３１を有している。第２収納空間３１は、例えば、第２収納部３の高さ方向の全範囲に亘って設けられている。第２収納空間３１は、例えば、棚板等で上下方向に複数の小空間に区分されても良い。
【００２６】
第２収納部３は、第２収納空間３１の少なくとも一部を閉じる扉３２を有している。扉３２は、図１に示される水平軸Ｘの回りに揺動する。この水平軸Ｘは、第１作業台２６の上面高さと近似した位置に設けられている。
【００２７】
扉３２は、水平軸Ｘの回りで、例えば、垂直状態と水平状態との間で揺動可能なヒンジ（詳細図示せず）で取り付けられている。図１〜３には、垂直状態の扉３２が示されている。扉３２は、垂直状態で第２収納空間３１を閉じることができる。
【００２８】
図５〜８には、水平状態の扉３２が示されている。扉３２が水平軸Ｘの回りで揺動し、水平状態とされることにより、第２収納空間３１が開放される。このとき、扉３２は、第１作業台２６と面一に連なる第２作業台３３として機能しうる。即ち、垂直状態で第２収納空間３１に面していた扉３２の内面は、扉３２が水平状態とされたときに、第２作業台３３として用いられる。
【００２９】
従って、本実施形態の収納装置は、第１作業台２６と第２作業台３３とが実質的に連続する幅の広い作業台を提供することができる。このような広い作業台は、収納装置１への物品の収納時又は取り出し時の仮置きスペースとして好適に用いられる。特に、洗濯物を畳む作業がさらに能率化される。
【００３０】
また、例えば、第２作業台３３でアイロン掛けを行い、第１作業台２６の上にアイロン掛けされた衣類をアイロン作業空間から離して置くことが可能になる。好ましい態様では、扉３２は、その厚さ方向に空気が通過可能な材料で形成される。このような材料としては、例えばメッシュ又はパンチング材からなるフレームと、その表面を覆う布材等からなるものが好適である。このような扉３２は、第２作業台３３として機能するとき、スチームを利用したアイロン作業時でも、スチームを下方に逃すことができ、好適にアイロン台として使用することができる。アイロンが施された衣類は、第１作業台２６に置くことができる。従って、洗濯からアイロン掛けまでの一連の作業が、能率よく行える洗面空間Ｗの構造が提供される。
【００３１】
図６に示されるように、第２収納空間３１は、扉３２の水平軸Ｘよりも上部の上側第２収納空間３５と、水平軸Ｘよりも下部の下側第２収納空間３６とを含んでいる。図５及び図６に示されるように、下側第２収納空間３６は、垂直軸Ｙの回りに開閉する下側扉３８で開閉可能とされている。本実施形態の下側扉３８は、両開き戸である。扉３２が水平状態とされたとき、その下面は、開かれた下側扉３８の上縁部３８ｅで支持されることが望ましい。これにより、扉３２の水平状態の位置を安定させることができる。ただし、扉３２の水平状態は、ヒンジ等の回り止め等にとって拘束されても良いのは言うまでもない。
【００３２】
以上、本発明の実施形態が詳細に説明されたが、本発明は、上記の実施形態に限定されることなく種々の態様に変更して実施され得る。
【符号の説明】
【００３３】
１  収納装置
２  第１収納部
３  第２収納部
２１  第１収納空間
２６  第１作業台
３１  第２収納空間
３２  扉
３３  第２作業台
【図１】
2014147443.tif 000003
【図２】
2014147443.tif 000004
【図３】
2014147443.tif 000005
【図４】
2014147443.tif 000006
【図５】
2014147443.tif 000007
【図６】
2014147443.tif 000008
【図７】
2014147443.tif 000009
【図８】
2014147443.tif 000010